(57)【要約】【課題】吸収性コアにおけるヨレや歪の発生を抑制し、吸収性コアを臀部の形状に合わせて変形させることができ、着用者の肌への密着性を向上させ得る吸収性物品を提供すること。【解決手段】吸収性コア２４は、縦方向Ｘにおける吸収性物品の中央位置より後方に位置するコア後方部２４２に、縦方向Ｘに間欠的に配置された、横方向Ｙに延びる凹部４を複数有しており、凹部４は、吸収性物品の縦方向Ｘの後端側の縁部が該後端側に向かって凸状の形状であり、吸収性コア２４は、隣り合う２つの凹部４間に縦方向Ｘの間隔が狭い部分４７と該間隔が広い部分４９とを有しており、間隔が狭い部分４７が、隣り合う２つの凹部４それぞれの横方向Ｙにおける中央部に位置している。【選択図】図６
2018082851.tif 000002
【特許請求の範囲】
【請求項１】
表面シート、裏面シート及びこれらの間に配された吸収性コアを有し、着用者の前後方向に相当する縦方向とこれに直交する横方向とを有する吸収性物品であって、
前記吸収性コアは、前記縦方向における前記吸収性物品の中央位置より後方に位置するコア後方部に、前記縦方向に間欠的に配置された、前記横方向に延びる凹部を複数有しており、
前記凹部は、前記吸収性物品の前記縦方向の後端側の縁部が前記後端側に向かって凸状の形状であり、
前記吸収性コアは、隣り合う２つの前記凹部間に前記縦方向の間隔が狭い部分と該間隔が広い部分とを有しており、
前記間隔が狭い部分が、隣り合う２つの前記凹部それぞれの前記横方向における中央部に位置している吸収性物品。
【請求項２】
隣り合う２つの前記凹部の少なくとも一方は、該凹部の前記横方向における中央部の前記縦方向の長さが最大である、請求項１に記載の吸収性物品。
【請求項３】
前記狭い部分から前記広い部分に亘って前記間隔が連続的に変化している、請求項１又は２に記載の吸収性物品。
【請求項４】
前記凹部は、前記吸収性コアの厚み方向に貫通した貫通孔である、請求項１〜３の何れか１項に記載の吸収性物品。
【請求項５】
前記凹部は、前記後方部において前記吸収性コアの形成材料の坪量が、前記凹部以外の部分に比して少ない、請求項１〜３の何れか１項に記載の吸収性物品。
【発明の詳細な説明】
【技術分野】
【０００１】
本発明は吸収性物品に関する。
【背景技術】
【０００２】
使い捨ておむつや生理用品に用いられる吸収体として、該吸収体の肌対向面にスリットを有するものやエンボス加工が施されたものが知られている。
例えば、本出願人は、先に、吸収体における排泄部対向部に、縦方向に沿って、該吸収体の厚み方向に向けて切り込まれた縦スリットが、複数、分散した状態で形成されており、前記吸収体の積層構造は、少なくとも前記排泄部対向部において、該積層構造を形成する複数層の前記吸収性シート間の一部が、前記縦スリットが形成された部位において非接合状態になっている吸収性物品を提案している（特許文献１）。
【０００３】
また特許文献２には、吸収体にエンボス加工及び／又はデボス加工を施すことによって形成され、当該吸収体における所定量の体液が吸収されるエリアを区画する複数の区画部と、前記区画部に対応付けて設けられ、前記吸収体により吸収された体液量を呈示するための呈示部と、を備えることを特徴とする吸収性物品が記載されている。
【０００４】
また特許文献３には、吸収体の後部側に前部側に向かう円弧状のエンボス溝を形成した体液吸収性物品が記載されている。特許文献３によれば、吸収体の後部が捩れるのを防止出来る。
【先行技術文献】
【特許文献】
【０００５】
【特許文献１】特開２０１５−４７３６８号公報
【特許文献２】特開２０１１−３０６１３号公報
【特許文献３】特開平１１−１１３９５５号公報
【発明の概要】
【発明が解決しようとする課題】
【０００６】
特許文献１に記載の吸収性物品は、装着状態において外力に対し変形しやすく、装着違和感が生じにくいものである。しかし、厚みのある吸収性コアは折れ曲がりにくく、かつ臀部の形状に合わせて変形させると吸収性コアにヨレや歪が発生する場合があるため、更なる改良の余地があった。
【０００７】
特許文献２及び３に記載の吸収性物品は、吸収性コアを臀部の形状に沿って変形させることが困難であり、体への密着性が不十分であった。
【０００８】
本発明の課題は、吸収性コアにおけるヨレや歪の発生を抑制し、吸収性コアを臀部の形状に合わせて変形させることができ、着用者の肌への密着性を向上させ得る吸収性物品を提供することに関する。
【課題を解決するための手段】
【０００９】
表面シート、裏面シート及びこれらの間に配された吸収性コアを有し、着用者の前後方向に相当する縦方向とこれに直交する横方向とを有する吸収性物品であって、前記吸収性コアは、前記縦方向における前記吸収性物品の中央位置より後方に位置するコア後方部に、前記縦方向に間欠的に配置された、前記横方向に延びる凹部を複数有しており、前記凹部は、前記縦方向の後端側の縁部が前記後端側に向かって凸状の形状であり、前記吸収性コアは、隣り合う２つの前記凹部間に前記縦方向の間隔が狭い部分と該間隔が広い部分とを有しており、前記間隔が狭い部分が、隣り合う２つの前記凹部それぞれの前記横方向における中央部に位置している吸収性物品を提供するものである。
【発明の効果】
【００１０】
本発明によれば、吸収性コアにおけるヨレや歪の発生を抑制し、吸収性コアを臀部の形状に沿って変形させやすく、着用者の肌への密着性を向上させ得る。
【図面の簡単な説明】
【００１１】
【図１】図１は、本発明の吸収性物品の一実施形態であるパンツ型使い捨ておむつの一例を模式的に示す斜視図である。
【図２】図２は、図１に示すおむつの展開且つ伸長状態における肌対向面側を模式的に示す展開平面図である。
【図３】図３は、図２のＩ−Ｉ線断面を模式的に示す横断面図である。
【図４】図４は、図１に示すおむつを模式的に示す分解斜視図である。
【図５】図５（ａ）は、図１に示すおむつが具備する吸収性コアを示す模式図である。図５（ｂ）は複数の凹部の位置を示す模式図である。
【図６】図６（ａ）は隣り合う２つの凹部を示す模式図である。図６（ｂ）は、図５（ａ）の複数の凹部の拡大図である。
【図７】図７（ａ）〜図７（ｃ）は、本発明における複数の凹部のパターンを示す模式図である。
【図８】図８は、本発明における複数の凹部の縦方向の断面図である。
【図９】図９は、図１に示すおむつの着用中における、吸収性コアの変形状態を模式的に示す斜視図である。
【発明を実施するための形態】
【００１２】
以下本発明を、その好ましい実施形態に基づき図面を参照しながら説明する。図１〜図４には、本発明の吸収性物品の一実施形態であるパンツ型使い捨ておむつ１（以下、単に「おむつ１」ともいう）の基本構成が示されている。おむつ１は、着用者の前後方向に相当する縦方向とこれに直交する横方向とを有している。また、股下部Ｂ並びに該股下部Ｂの前後から縦方向Ｘに延出する腹側部Ａ及び背側部Ｃを有し、液保持性を有する吸収体２３（吸収性コア２４）を股下部Ｂに具備する。股下部Ｂは、おむつ１の着用状態において着用者の股間部に配される部位であり、腹側部Ａは、おむつ１の着用状態において股下部Ｂよりも着用者の腹側即ち縦方向Ｘの前側に配される部位であり、背側部Ｃは、おむつ１の着用状態において股下部Ｂよりも着用者の背側即ち縦方向Ｘの後側に配される部位である。
【００１３】
おむつ１は、吸収体２３を具備する吸収性本体２と、該吸収性本体２よりも着用者の身体から遠い側（非肌対向面側）に配された外装体３とを備え、腹側部Ａ及び背側部Ｃそれぞれにおける外装体３の縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１４】
おむつ１は、図２に示すように、おむつ１を縦方向Ｘに二分して横方向Ｙに延びる縦中心線ＣＬｘを基準として、着用状態において着用者の身体の前側（腹側）を覆う前身頃Ｆと、着用状態において着用者の身体の後側（背側）を覆う後身頃Ｒとに区分される。腹側部Ａは前身頃Ｆの一部であり、背側部Ｃは後身頃Ｒの一部であり、股下部Ｂは前身頃Ｆと後身頃Ｒとに跨って存している。腹側部Ａ及び背側部Ｃは、何れも縦方向Ｘにおいてサイドシール部Ｓと同位置にある部分であり、おむつ１の着用状態において着用者のウエスト部を含む胴周りに配される。股下部Ｂは、外装体３の縦方向Ｘに沿う両側縁部にレッグ開口部ＬＨ，ＬＨ形成用の凹欠部が形成されている領域である。
【００１５】
吸収性本体２は、図２に示す如きおむつ１の展開且つ伸長状態において、平面視長方形形状をなし、腹側部Ａから背側部Ｃにわたって縦方向Ｘに延在しており、その長手方向を展開且つ伸長状態におけるおむつ１の縦方向Ｘに一致させて、外装体３の横方向Ｙの中央部に配置され、接着剤により外装体３に接合されている。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１６】
おむつ１は、表面シート２１、裏面シート２２及びこれらの間に配された吸収性コア２４を有する。具体的には、吸収性本体２は、図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、液保持性の吸収性コア２４と、該吸収性コア２４の外面（肌対向面及び非肌対向面の両面）を被覆するコアラップシート２５とを含んで構成されている。吸収性コア２４とコアラップシート２５との間は、ホットメルト型接着剤等の公知の接合手段により接合されている。
【００１７】
本明細書において、「肌対向面」は、吸収性物品又はその構成部材（例えば吸収性コア）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側に向けられる面、即ち相対的に着用者の肌から遠い側である。尚、ここでいう「着用時」は、通常の適正な着用位置、即ち当該吸収性物品の正しい着用位置が維持された状態を意味し、吸収性物品が該着用位置からずれた状態にある場合は含まない。
【００１８】
吸収性コア２４は、扁平な単層構造を有するもので、図５（ａ）に示す如き平面視において砂時計状、即ち、横方向Ｙの長さが最も短い最幅狭部２４０の縦方向Ｘの前端に最幅狭部２４０よりも横方向Ｙの長さが長いコア前方部２４１が連接されていると共に、最幅狭部２４０の縦方向Ｘの後端に最幅狭部２４０よりも横方向Ｙの長さが長いコア後方部２４２が連接されている形状をなしている。図２に示すように、吸収性コア２４の最幅狭部２４０は股下部Ｂに位置している。コア前方部２４１とコア後方部２４２とは、縦方向Ｘの長さが同じではなく、コア後方部２４２の方が長い。
おむつ１における吸収性コア２４は、図２に示す如きおむつ１の展開且つ伸長状態の平面視において、外装体３における腹側部Ａの側縁部ＡＳと背側部Ｃの側縁部ＣＳとに挟まれた領域である股下部Ｂに配されている。具体的には、吸収性コア２４の縦方向Ｘの前端２４ａ及び後端２４ｂそれぞれが、股下部Ｂに位置している。なお、本実施形態における吸収性コア２４は、その全体が股下部Ｂ内に収まっているが、本発明の吸収性物品における吸収性コア２４は、股下部Ｂから、腹側部Ａ及び背側部Ｃの何れか一方又は双方に亘って配されていてもよい。
【００１９】
吸収性コア２４の外面を被覆するコアラップシート２５は、図２に示すように、吸収性コア２４よりも縦方向Ｘの長さが長く、吸収性コア２４の縦方向Ｘの前端２４ａ及び後端２４ｂそれぞれから縦方向Ｘの外方に延出し、股下部Ｂのみならず、腹側部Ａ及び背側部Ｃにも配されている。コアラップシート２５は、吸収性コア２４の外面全体を被覆し得る大きさを有する１枚の連続したシートであっても良く、あるいは、吸収性コア２４の肌対向面を被覆する１枚の肌側コアラップシートと、非肌対向面を被覆する１枚の非肌側コアラップシートとから構成されていても良い。
表面シート２１及び裏面シート２２も同様に、吸収性コア２４よりも縦方向Ｘの長さが長く、吸収性コア２４の縦方向Ｘの前後端２４ａ，２４ｂそれぞれから縦方向Ｘの外方に延出し、その延出部が、腹側部Ａ及び背側部Ｃに配されている。本実施形態においては、表面シート２１及び裏面シート２２の縦方向Ｘの前後端の位置と、コアラップシート２５の縦方向Ｘの前後端の位置とは同じになっている。
【００２０】
表面シート２１、裏面シート２２、並びに吸収体２３を構成する吸収性コア２４及びコアラップシート２５としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収性コア２４は、吸収性材料を含むコア形成材料の堆積物である。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア２４は、親水性繊維の積繊体、あるいは該積繊体に吸水性ポリマー粒子を担持させたものであり得る。コアラップシート２５としては、紙、不織布等の液透過性シートを用いることができる。
【００２１】
図２及び図３に示すように、吸収性本体２の肌対向面における縦方向Ｘに沿う左右両側部には、液抵抗性又は撥水性で且つ通気性のシート材から構成された一対の防漏カフ２６，２６が設けられている。各防漏カフ２６の自由端部の近傍には糸状の防漏カフ形成用弾性部材２７が１本以上伸長状態で配されている。防漏カフ２６は、伸長状態で配された弾性部材２７がおむつ１の着用時に収縮することによって少なくとも股下部Ｂで起立し、それによって尿等の排泄液の横方向Ｙの外方への流出を阻止する。
【００２２】
外装体３は、図２に示す如き展開且つ伸長状態のおむつ１の外形を形作っており、外装体３の周縁は、その状態のおむつ１の輪郭線、即ち腹側部Ａ、股下部Ｂ及び背側部Ｃそれぞれの輪郭線を形成している。外装体３は、図２に示すように、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装体３の縦方向Ｘに沿う両側縁部即ち一対のレッグ縁部ＬＳ，ＬＳが横方向Ｙの中央に向かって凸の円弧状に湾曲しており、図２に示す如き平面視において、縦方向Ｘの中央域が横方向Ｙの内方に向けて括れた砂時計状をなしている。
【００２３】
外装体３は、図３に示すように、着用状態においておむつ１の外面即ち非肌対向面を形成する外層シート３１と、外層シート３１の肌対向面に対向配置された内層シート３２との積層体を含んで構成されている。おむつ１の着用状態において、外層シート３１は着用者の身体から遠い側に位置して、おむつ１の非肌対向面（外面）を形成し、内層シート３２は着用者の身体に近い側に位置して、おむつ１の肌対向面（内面）を形成する。外層シート３１と内層シート３２とは、所定の部位において接着剤等の接合手段を介して互いに接合されている。外層シート３１は、図４に示すように腹側部Ａ及び背側部Ｃに、内層シート３２の縦方向Ｘの端縁から延出する部分３１Ｅを有し、その延出部３１Ｅは、図２に示すように、内層シート３２の肌対向面側に折り返され、吸収性本体２の縦方向Ｘの端部を被覆している。
【００２４】
外装体３は、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部及びその近傍には、１本又は複数本（本実施形態では複数本）のウエストギャザー形成用のウエスト弾性部材３３が横方向Ｙの全長にわたって伸長状態で配されており、これによってウエスト開口部ＷＨには、その全周にわたって実質的に連続した環状のウエストギャザーが形成されている。
さらに外装体３は、一対のレッグ開口部ＬＨ，ＬＨそれぞれの開口縁部にレッグギャザーを形成するレッグ弾性部材として、後身頃Ｒに伸長状態で配された１本又は複数本（本実施形態では複数本）の後側レッグ弾性部材３４を備えている。尚、おむつ１においては、前身頃Ｆにはレッグ弾性部材は配されていないが、前身頃Ｆに前側レッグ弾性部材が配されていても良く、その前側レッグ弾性部材は、後側レッグ弾性部材３４と同様の配置形態とすることができる。
ウエスト弾性部材３３及び後側レッグ弾性部材３４は、それぞれ糸状又は帯状であり、外装体３を構成する外層シート３１と内層シート３２との間に接着剤により挟持固定されている。
【００２５】
本実施形態においては、図４に示すように、内層シート３２は１枚の連続したシートから構成されているのに対し、外層シート３１は複数枚のシートが組み合わされて構成されており、腹側部Ａを構成する腹側外層シート３１Ａと、背側部Ｃを構成する背側外層シート３１Ｃと、両シート３１Ａ，３１Ｃ間に位置して股下部Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２６】
外装体３を構成するシート３１（３１Ａ，３１Ｂ，３１Ｃ），３２は、互いに同種のシートでも良く、あるいは異種のシートでも良く、後者の例として、伸縮性が互いに異なる形態が挙げられる。具体的には例えば、腹側外層シート３１Ａ及び背側外層シート３１Ｃとしては、横方向Ｙに伸縮性を有する伸縮性シートを用い、外層シート３１の残りの部分即ち股下外層シート３１Ｂ及び内層シート３２は、伸縮性を有していない非伸縮性シートを用いることができる。外装体３として使用可能な伸縮性シートとしては、例えば、弾性繊維層の両面又は片面に伸長可能な繊維層が一体化されている伸縮性シートが挙げられ、弾性繊維層と伸長可能な繊維層との一体化の方法としては、例えば、両者を積層して水流交絡する方法、エアスルー等により繊維を交絡させる方法、ヒートエンボス、接着剤、超音波等によって接合させる方法が挙げられる。また、外装体３として使用可能な非伸縮性シートとしては、例えば、各種製法による不織布が挙げられ、具体的にはスパンボンド不織布、エアスルー不織布、ニードルパンチ不織布を例示できる。
【００２７】
吸収性コア２４は縦方向Ｘの前側から順に、コア前方部２４１、最幅狭部２４０、コア後方部２４２を有しているところ、コア後方部２４２は、後方第１領域２４３及び後方第２領域２４４を含んで構成されている。後方第１領域２４３は、最幅狭部２４０の縦方向Ｘの後端に連接され、縦方向Ｘの前側から後側へ向かうに従って横方向Ｙの長さ（即ち幅）が漸次増加する領域であり、縦方向Ｘに沿う両側縁が、前側から後側へ向かうにつれて、それぞれ横方向外方に向けて傾斜している。一方、後方第２領域２４４は、後方第１領域２４３の縦方向Ｘの後端に連接され、後方第１領域２４３に比して縦方向Ｘにおける横方向Ｙの長さの変化が少ない領域である。図５（ａ）に示す吸収性コア２４において、後方第２領域２４４は、吸収性コア２４の横方向Ｙの幅が略一定となっている領域であり、縦方向Ｘに沿う両側縁がそれぞれ、縦方向Ｘと平行に延びている。吸収性コア２４の外形形状（輪郭線）は、吸収性コア２４を横方向Ｙに二分して縦方向Ｘに延びる横中心線ＣＬｙを基準として、一方側と他方側とで対称に形成されている。また、コア後方部２４２は、縦方向Ｘにおけるおむつ１の中央位置、具体的には縦中心線ＣＬｘより後方に位置している。
【００２８】
コア後方部２４２は、縦方向Ｘに間欠的に配置された、横方向Ｙに延びる凹部４を複数有している。複数の凹部４を縦方向Ｘに間欠的に配置することで、吸収性コア２４が、厚み方向に変形し易くなり、おむつ１を着用者の臀部にやわらかく密着させることができる。
本実施形態におけるおむつ１の吸収性コア２４は、図５（ａ）及び図５（ｂ）に示すように、複数の凹部４として、吸収性コア２４の前端側から後端側に向かって順に第１凹部４ａ、第２凹部４ｂ、第３凹部４ｃ及び第４凹部４ｄを有している。本明細書では、これら第１〜４凹部を総称して凹部４ともいう。吸収性コア２４に形成された複数の凹部４は、縦方向Ｘに間欠的に配置されており、それぞれ、吸収性コア２４の後端側の縁部４２と、吸収性コア２４の前端側の縁部４１とを有している。
【００２９】
吸収性コア２４は、隣り合う２つの凹部４間に縦方向Ｘの間隔が狭い部分４７と間隔が広い部分４９とを有している。より具体的には、図６（ａ）に示すように、第１凹部４ａは、おむつ１の後端側の縁部４２が該後端側に向かって凸状の形状をしている一方、第１凹部４ａの縁部４２と、第１凹部４ａと隣り合う第２凹部４ｂにおけるおむつ１の前端側の縁部４１とが平行でないことによって、第１凹部４ａと第２凹部４ｂとの間の間隔４６が、横方向Ｙにおいて一定ではなくなっている。図６（ｂ）に示すように、第２凹部４ｂと第３凹部４ｃとの間、第３凹部４ｃと第４凹部４ｄとの間についても同様に、凹部４のおむつ１の後端側の縁部４２が該後端側に向かって凸状の形状であるのに対して、その縁部４２側に位置する凹部４の前端側の縁部４１が、該縁部４２と非平行であることによって、凹部どうし間の間隔４６が横方向Ｙにおいて一定ではない。このように、凹部４が、おむつ１の後端側の縁部４２が該後端側に向かって凸状の形状であり、吸収性コア２４が、間隔が狭い部分４７と間隔が広い部分４９とを有することで、吸収性コア２４が、折れ曲がる際に吸収性コア２４の変形の大きさを部分的に異ならせることができる。これにより、臀部の形状に沿って吸収性コアを変形させることができるため、吸収性コア２４が臀部の形状に沿って変形し易くなり、着用者に下着に近い感覚を付与することができる。
【００３０】
また、間隔が狭い部分４７は、隣り合う２つの凹部４それぞれの横方向Ｙにおける中央部に位置している。より具体的には、図６（ａ）に示すように、第１凹部４ａ及び第２凹部４ｂそれぞれの横方向Ｙにおける中央部には、凹部４の縁部４２における凸の頂部４３と、隣接する別の凹部４の縁部４１とに挟まれた、間隔が狭い部分４７が存在する。図６（ｂ）に示すように、第２〜４凹部４ｂ，４ｃ，４ｄについても同様に、間隔が狭い部分４７は、隣り合う２つの凹部４それぞれの横方向Ｙにおける中央部に位置している。また、本実施形態のおむつ１において、隣り合う２つの凹部４間の間隔４６は、上記のように凹部４の横方向Ｙの中央部で最も短くなり、同方向の両端部で最も長くなる。間隔が狭い部分４７がこのような位置にあることで、臀部の割れ目に当接する部分を大きく変形させることができ、おむつ１等の吸収性物品の臀部への密着性を向上させることができる。
【００３１】
より具体的には、間隔が狭い部分４７は、縦方向Ｘにおいて隣り合う２つの凹部４それぞれを、横方向Ｙに３等分して３つの区分に区分した際の中央の区分に位置している。ここで、「中央の区分に位置している」とは、隣り合う２つの凹部のうちの一方の凹部を横方向に３等分する３つの区分のうちの中央の区分に位置するとともに、他方の凹部を横方向に３等分する３つの区分についても中央の区分に位置していることを意味する。
また、凹部を「横方向に３等分」するとは、吸収性物品の横方向Ｙに沿う凹部４の長さを３等分するように該凹部４を３つの区分に区分することを意味する。
例えば、本実施形態では、図６（ａ）及び図６（ｂ）に示すように、間隔が狭い部分４７は、第１凹部４ａを、横方向Ｙに３等分して３つの区分６ａ、６ｂ、６ｃに区分した際の中央の区分６ｂに位置しており、且つ第１凹部４ａと隣り合う第２凹部４ｂを、横方向Ｙに３等分して３つの区分７ａ、７ｂ、７ｃに区分した際の中央の区分７ｂに位置している。第２凹部４ｂと第３凹部４ｃとの間、及び第３凹部４ｃと第４凹部４ｄとの間についても同様であり、間隔が狭い部分４７は、隣り合う凹部４を、横方向Ｙに３等分して３つの区分に区分した際の中央の区分に位置している。
間隔が狭い部分４７は、吸収性コア２４を横方向Ｙに３等分したときの中央領域に位置することが好ましく、図６（ｂ）に示すように吸収性コア２４を横方向Ｙに二等分する横中心線ＣＬｙ上に位置することがより好ましい。なお、横方向Ｙに３等分する吸収性コア２４の幅は、吸収性コア２４の縦方向Ｘにおける凹部４を有する位置での幅とする。
【００３２】
厚みがあり硬くて折り曲げにくい吸収性コアには、その剛性を低くするために凹部が設けられることがある。しかし、吸収性コアに単に凹部を設けても、凹部部分が曲がり過ぎてヨレや歪が発生してしまう場合がある。そこで、本実施形態の吸収性物品においては、吸収性コアに設けられる凹部を上記のように配置することにより、吸収性コアを臀部の形状に合わせて曲げやすくし、ヨレや歪の発生を抑制することができる。
上記の効果をより確実に奏させるため、複数の凹部４は、着用時に臀部に当接し、かつヨレや歪が発生しやすい部分に配されることが好ましい。具体的には、複数の凹部４は、後方第１領域２４３及び後方第２領域２４４に配置されていることが好ましい。また、コア後方部２４２における最も前側に位置する凹部の前端Ｆ１、即ちおむつ１を縦方向Ｘに二等分する縦中心線ＣＬｘに最も近い凹部４の前端Ｆ１と縦中心線ＣＬｘとの縦方向Ｘにおける距離Ｐ１が、好ましくは４０ｍｍ以上、より好ましくは５０ｍｍ以上であり、また好ましくは１１０ｍｍ以下、より好ましくは１００ｍｍ以下であり、また好ましくは４０ｍｍ以上１１０ｍｍ以下、より好ましくは５０ｍｍ以上１００ｍｍ以下である。コア後方部２４２における最も前側に位置する凹部４とは、図５（ｂ）に示すように、本実施形態においては第１凹部４ａである。
【００３３】
同様の観点から、吸収性コア２４における最も前側に位置する凹部４と隣り合う凹部の後端Ｂ２、即ち縦中心線ＣＬｘに２番目に近い凹部４の後端Ｂ２と縦中心線ＣＬｘとの縦方向Ｘにおける距離Ｐ２が、好ましくは６０ｍｍ以上、より好ましくは７０ｍｍ以上であり、また好ましくは１２０ｍｍ以下、より好ましくは１１０ｍｍ以下であり、また好ましくは６０ｍｍ以上１２０ｍｍ以下、より好ましくは７０ｍｍ以上１１０ｍｍ以下である。吸収性コア２４における最も前側に位置する凹部４と隣り合う凹部とは、図５（ｂ）に示すように、本実施形態においては第２凹部４ｂである。
【００３４】
同様の観点から、吸収性コア２４における最も前側に位置する凹部４の前端Ｆ１と、該凹部４と隣り合う凹部の後端Ｂ２との縦方向Ｘにおける距離Ｐ３が、好ましくは６ｍｍ以上、より好ましくは１０ｍｍ以上であり、また好ましくは１００ｍｍ以下、より好ましくは８０ｍｍ以下であり、また好ましくは６ｍｍ以上１００ｍｍ以下、より好ましくは１０ｍｍ以上８０ｍｍ以下である。該距離Ｐ３は、本実施形態においては、図５（ｂ）に示すように、第１凹部４ａの前端Ｆ１と、第２凹部４ｂの後端Ｂ２との距離である。
【００３５】
同様の観点から、吸収性コア２４における最も前側に位置する凹部４の前端Ｆ１と、最も後側に位置する凹部４の後端ＢＢ、即ち縦中心線ＣＬｘに最も遠い凹部４の後端ＢＢとの縦方向Ｘにおける距離Ｐ４が、好ましくは２０ｍｍ以上、より好ましくは３０ｍｍ以上であり、また好ましくは１２０ｍｍ以下、より好ましくは１１０ｍｍ以下であり、また好ましくは２０ｍｍ以上１２０ｍｍ以下、より好ましくは３０ｍｍ以上１１０ｍｍ以下である。吸収性コア２４における最も後側に位置する凹部４とは、図５（ｂ）に示すように、本実施形態においては第４凹部４ｄであり、凹部４が２つある場合は第２凹部４ｂである。
【００３６】
同様の観点から、凹部４は、その横方向Ｙにおける両端部それぞれが、該端部に最も近接するコア後方部２４２の横方向Ｙにおける側部それぞれから好ましくは５ｍｍ以上、より好ましくは１０ｍｍ以上離間した位置に配され、また好ましくは５５ｍｍ以下、より好ましくは５０ｍｍ以下離間した位置に配され、また好ましくは５ｍｍ以上５５ｍｍ以下、より好ましくは１０ｍｍ以上５０ｍｍ以下離間した位置に配される。
同様の観点から、凹部４の中心は、その中心が吸収性コアの横方向Ｙにおける幅Ｗ２を３等分にした際の真ん中の区分に位置すればよく、好ましくは５等分にした際の真ん中の区分に位置し、より好ましくは図６（ｂ）に示すように吸収性コア２４を横方向Ｙに二等分する横中心線ＣＬｙの線上に位置する。なお、横方向Ｙに３等分又は５等分する吸収性コア２４の幅Ｗ２は、吸収性コア２４の縦方向Ｘにおける凹部４を有する位置での幅とする。
【００３７】
凹部４は横方向Ｙに延びている。着用時に、吸収性コア２４が折り曲がることで厚み方向に歪が生じる場合がある。しかし、本発明のように横方向Ｙに延びている凹部４があると、厚み方向の歪の発生を抑制することができる。この効果をより確実に奏させるため、図６（ｂ）に示す凹部４の横方向Ｙにおける幅Ｗ１は、好ましくは２０ｍｍ以上、より好ましくは３０ｍｍ以上であり、また好ましくは１１０ｍｍ以下、より好ましくは１００ｍｍ以下であり、また好ましくは２０ｍｍ以上１１０ｍｍ以下、より好ましくは３０ｍｍ以上１００ｍｍ以下である。
【００３８】
同様の観点から、凹部４の横方向Ｙにおける幅Ｗ１は、コア後方部２４２の横方向Ｙにおける幅Ｗ２に対し、好ましくは１５％以上、より好ましくは２５％以上であり、または好ましくは９５％以下、より好ましくは８５％以下であり、または好ましくは１５％以上９５％以下、より好ましくは２５％以上８５％以下である。なお、コア後方部２４２の横方向Ｙにおける幅Ｗ２は、吸収性コア２４の縦方向Ｘにおける凹部４を有する位置での幅である。
【００３９】
着用時に吸収性コア２４の折れ曲がりに伴う歪の発生を抑制する観点から、図６（ｂ）に示す凹部４の縦方向Ｘにおける幅Ｌ１は、好ましくは２ｍｍ以上、より好ましくは４ｍｍ以上であり、また好ましくは５０ｍｍ以下、より好ましくは４０ｍｍ以下であり、また好ましくは２ｍｍ以上５０ｍｍ以下、より好ましくは４ｍｍ以上４０ｍｍ以下である。なお、図５（ａ）及び図６（ｂ）に示す吸収性コア２４において、凹部４は湾曲しており、横方向Ｙの外方に向かって縦方向Ｘの長さが短くなっている。このように、凹部４の縦方向Ｘの幅Ｌ１は一定でなくてもよい。また、矩形状の凹部４のように、凹部４の縦方向Ｘにおける幅が一定であってもよい。
【００４０】
上記と同様の観点から、凹部４の縦方向Ｘにおける幅Ｌ１は、縦方向Ｘにおいて縦中心線ＣＬｘから吸収性コア２４の後端２４ｂまでの長さＬＢに対し、好ましくは１％以上、より好ましくは２％以上であり、または好ましくは３０％以下、より好ましくは２５％以下であり、または好ましくは１％以上３０％以下、より好ましくは２％以上２５％以下である。
【００４１】
上記と同様の観点から、凹部４の縦方向Ｘにおける幅Ｌ１は、凹部４の横方向Ｙにおける幅Ｗ１に対して、好ましくは１％以上、より好ましくは３％以上であり、または好ましくは５０％以下、より好ましくは４０％以下であり、または好ましくは１％以上５０％以下、より好ましくは３％以上４０％以下である。
【００４２】
隣り合う２つの凹部４の少なくとも一方は、凹部４の横方向における中央部の縦方向Ｘの幅Ｌ１が最大であることが好ましい。より具体的には、図６（ｂ）に示すように、縦方向Ｘに隣り合う第１凹部４ａ及び第２凹部４ｂは、横方向Ｙにおける中央部における縦方向Ｘの幅Ｌ１がそれぞれ最大である。第２凹部４ｂ及び第３凹部４ｃや、第３凹部４ｃ及び第４凹部４ｄについても同様の構成である。本実施形態は、隣り合う凹部４の両方がこのような構成であるが、どちらか一方の凹部４の横方向における中央部の縦方向Ｘの幅Ｌ１が最大であればよい。着用時に、吸収性コア２４の折れ曲がりに伴う歪の発生をより抑えることができるからである。
【００４３】
凹部４は、図８（ａ）又は図８（ｂ）に示すように、吸収性コア２４の肌対向面側及び非肌対向面側のいずれか一方に開口した底部を有する凹部即ち溝であってもよく、図８（ｃ）に示すように、吸収性コア２４の厚み方向に貫通した貫通孔であってもよい。また、凹部４が溝である場合、開口部分が吸収性コア２４の形成材料からなる層で塞がれていてもよい。
凹部４が溝である場合、凹部４の厚み方向における深さは、吸収性コア２４の厚みに対し、好ましくは５％以上、より好ましくは１０％以上であり、また好ましくは９０％以下、より好ましくは７０％以下であり、また好ましくは５％以上９０％以下、より好ましくは１０％以上７０％以下である。なお、上記の吸収性コア２４の厚さは、縦方向Ｘ及び横方向Ｙにおける凹部４を有する位置での厚さである。
【００４４】
凹部４は、吸収性コア２４のコア後方部２４２において吸収性コア２４の形成材料の坪量が、凹部４以外の部分に比して少ないことが好ましい。凹部４の部分が変形し易くなるため、臀部のフィット性をより向上させることができるからである。この効果をより確実に奏させるため、凹部４の坪量は、凹部４以外の部分の坪量に対して、好ましくは９０％以下、より好ましくは７０％以下である。なお、凹部４以外の部分の坪量は、縦方向Ｘにおいて、吸収性コア２４における最も前側に位置する凹部４の前端Ｆ１と、最も後側に位置する凹部４の後端ＢＢとの間に有する凹部４以外の部分即ち凹部４非形成部分の平均坪量である。
凹部４の坪量は、好ましくは０ｇ／ｍ２以上、より好ましくは６０ｇ／ｍ２以上であり、また好ましくは５４０ｇ／ｍ２以下、より好ましくは４２０ｇ／ｍ２以下であり、また好ましくは０ｇ／ｍ２以上５４０ｇ／ｍ２以下、より好ましくは６０ｇ／ｍ２以上４２０ｇ／ｍ２以下である。
凹部４以外の部分即ち凹部非形成部分の坪量は、好ましくは８０ｇ／ｍ２以上、より好ましくは９０ｇ／ｍ２以上であり、また好ましくは６００ｇ／ｍ２以下、より好ましくは５００ｇ／ｍ２以下であり、また好ましくは８０ｇ／ｍ２以上６００ｇ／ｍ２以下、より好ましくは９０ｇ／ｍ２以上５００ｇ／ｍ２以下である。凹部４以外の部分の坪量は、上記と同様、縦方向Ｘにおいて、吸収性コア２４における最も前側に位置する凹部４の前端Ｆ１と、最も後側に位置する凹部４の後端ＢＢとの間に有する凹部４以外の部分即ち凹部４非形成部分の平均坪量である。
【００４５】
本実施形態において、図２に示すように、後側レッグ弾性部材３４は、吸収性コア２４の縦方向Ｘに沿う両側部それぞれと交差するように配されている。具体的には、後側レッグ弾性部材３４は、吸収性コア２４の後方第２領域２４４の縦方向Ｘに沿う両側部それぞれと交差するように配されている。すなわち、後側レッグ弾性部材３４は、サイドシール部Ｓから吸収性コア２４の側縁に亘って延びている。斯かる構成により、後側レッグ弾性部材３４が背側部Ｃの縦方向Ｘの外方に向かって収縮する応力によって、コア後方部２４２を背側部Ｃの縦方向Ｘの外方へ引き上げ、コア後方部２４２の後端２４ｂ側の部分、即ち後方第２領域２４４を反り上がり易くさせることができ、臀部に対するフィット性のさらなる向上に繋がる。
【００４６】
凹部４は、吸収性物品の縦方向Ｘの後端側の縁部４２が前記後端側に向かって凸状の形状であれば、凹部４の平面視における形状は特に制限されない。
例えば、図５（ｂ）及び図６（ｂ）に示すように、凹部４は、吸収性コアの後端側の縁部４２が、平面視において後端側に向かって凸に湾曲した円弧状であるものの他、ブーメラン状（三日月状）のように後端側に向かって凸に屈曲した形状のものや、後端側に向かって凸に段差を有する形状のもの、後端側に向かって先細る形状等が挙げられる。凹部４がこのような凸の形状であることで、吸収性コア２４が臀部の割れ目より外方の部分に沿ってより変形し易くなる。
また、凹部４は、図６（ｂ）及び図７（ａ）〜図７（ｃ）に示すように、吸収性物品の縦方向Ｘの後端側の縁部４２が前記後端側に向かって凸の円弧状であることが好ましい。また、臀部へのフィット性を向上させる観点から、凹部は、環形以外の形状であることが好ましい。また、凹部４は、吸収性物品の縦方向Ｘの前端側の縁部４１が、直線状でもよく、該前端側に凸の形状でもよく、図７（ｃ）に示すように吸収性物品の縦方向Ｘの後端側に凸に湾曲した形状でもよい。
【００４７】
凹部４の縁部４２が、後端側に向かって凸に湾曲した円弧状である場合、横方向Ｙにおいて円弧の両端を結んだ線分の幅Ｗ３に対し、円弧の頂部４３から該線分（幅Ｗ３）に垂直に引いた線分の長さＬ４が、好ましくは１．５％以上、より好ましくは３．５％以上であり、また好ましくは６５％以下、より好ましくは５０％以下であり、また好ましくは１．５％以上６５％以下、より好ましくは３．５％以上５０％以下である。なお、本実施形態において、円弧の両端を結んだ幅Ｗ３は凹部４の横方向Ｙにおける幅Ｗ１であり、円弧の頂部４３から円弧の両端を結んだ線分（幅Ｗ３）に垂直に引いた線分の長さＬ４は、凹部４の縦方向における幅Ｌ１である。
【００４８】
図５（ａ）及び図７（ｃ）に示す例においては、複数の凹部４の形状や長さはそれぞれ同じであり同形同大に形成されているが、それぞれの凹部４は異なる形状であってもよく、凹部４は、吸収性物品の縦方向Ｘ及び横方向Ｙの一方又は双方の長さが異なっていてもよい。例えば図７（ａ）及び（ｂ）に示すように、複数の凹部４は、縦方向Ｘ及び横方向Ｙの一方又は双方の長さがそれぞれ異なっていてもよい。また、図７（ｂ）に示すように、２種の同形同大の凹部４を交互に形成していてもよい。
【００４９】
凹部４は２つ以上あれば数は特に制限されないが、吸収性物品のフィット性を向上させる観点から、好ましくは２個以上、より好ましくは３個以上であり、また好ましくは２５個以下、より好ましくは１０個以下であり、また好ましくは２個以上２５個以下、より好ましくは３個以上１０個以下である。
【００５０】
隣り合う２つの凹部４間の間隔４６は、間隔が狭い部分４７から間隔が広い部分４９に亘って連続的に変化していることが好ましい。より具体的には、図５〜７に示した各例においては、間隔４６において、凹部４の横方向Ｙの中央部即ち間隔が狭い部分４７から外方に向かって、間隔が連続して広くなっている。このように間隔４６を変化させることで、吸収性コア２４を臀部の形状に沿って変形させることがより容易となる。
【００５１】
同様の観点から、図６（ｂ）に示す間隔が狭い部分４７の長さＬ２は、好ましくは２ｍｍ以上、より好ましくは１０ｍｍ以上であり、また好ましくは５０ｍｍ以下、より好ましくは２０ｍｍ以下であり、また好ましくは２ｍｍ以上５０ｍｍ以下、より好ましくは１０ｍｍ以上２０ｍｍ以下である。
【００５２】
同様の観点から、間隔が狭い部分４７の長さＬ２は、縦方向Ｘにおける縦中心線ＣＬｘから吸収性コア２４の後端までの長さＬＢに対し、好ましくは１％以上、より好ましくは５％以上であり、または好ましくは３０％以下、より好ましくは１５％以下であり、または好ましくは１％以上３０％以下、より好ましくは５％以上１５％以下である。
【００５３】
同様の観点から、図６（ｂ）に示す間隔が広い部分４９の長さＬ３は、好ましくは４ｍｍ以上、より好ましくは１０ｍｍ以上であり、また好ましくは５０ｍｍ以下、より好ましくは３０ｍｍ以下であり、また好ましくは４ｍｍ以上５０ｍｍ以下、より好ましくは１０ｍｍ以上３０ｍｍ以下である。
【００５４】
同様の観点から、間隔が広い部分４９の長さＬ３は、縦方向Ｘにおける縦中心線ＣＬｘから吸収性コア２４の後端までの長さＬＢに対し、好ましくは２％以上、より好ましくは５％以上であり、または好ましくは３０％以下、より好ましくは２０％以下であり、または好ましくは２％以上３０％以下、より好ましくは５％以上２０％以下である。
同様の観点から、間隔が狭い部分４７の長さＬ２は、間隔が広い部分４９の長さＬ３に対して、好ましくは８０％以下、より好ましくは７０％以下である。
【００５５】
本実施形態のおむつ１によれば、吸収性コア２４が、縦方向Ｘに間欠的に配置された、横方向Ｙに延びる凹部４を複数有するため、吸収性コア２４は、臀部に当接する部分において肌対向面側に隆起するように容易に変形させることができる。
より具体的には、図９に示すように、吸収性コア２４において、後方第１領域２４３、場合によってはこれに加えてさらに最幅狭部２４０における後方第１領域２４３寄りの部分が、横中心線ＣＬｙを折曲線として、肌対向面側から見て山折り状態に変形、即ち横方向Ｙに沿う断面視において逆Ｖ字状に変形して、肌対向面に向けて凸となる隆起部２４５が形成される。
その隆起部２４５は、着用者の臀部の割れ目にフィットすると共に、複数の凹部が形成されている領域の横方向中央部付近、あるいは後方第２領域２４４の横方向中央部付近が、着用者の臀部の曲面形状に沿うように、着用者の肌側に向けて凹に凹状に変形して臀部に密着する。これにより、吸収性物品が着用者の股下の形状に沿って密着しやすくなり、フィット性をより向上させることができる。
【００５６】
一般的に吸収性コアは厚みがあって硬く、凹部を有しない場合は、変形途中で歪みが発生して折り曲げにくいため、上記のように肌対向面側に隆起するように変形させることが困難である。また、吸収性コアを柔らかくするために吸収性コアに単に凹部を設けても、吸収性コアを上記のように肌対向面側に隆起するように変形させた際に、凹部の部分で吸収性コアが大きく変形し過ぎて、ヨレや歪が発生することがあり、それにより生じた皺が、吸収性コアを臀部の形状に合わせて変形させることを阻害する場合がある。
これに対して、本発明に係る吸収性コアは、複数の凹部４を有することで吸収性コアを柔らかくして変形を容易にする他、隣り合う２つの凹部４間に間隔が狭い部分４７と間隔が広い部分４９とを有し、且つ間隔が狭い部分４７が、隣り合う２つの凹部４それぞれの横方向Ｙにおける中央部に位置することで、ヨレや歪の発生を防止しながら臀部の形状に合わせて吸収性コアを変形させることができる。すなわち、間隔が狭い部分４７においては、吸収性コア２４を大きく変形させることができ、該部分を臀部の割れ目にフィットさせることができるとともに、間隔が広い部分４９においては、吸収性コアを小さく変形させることができ、該部分を、割れ目の両側に位置する臀部の凸状の隆起部分にもフィットさせることができる。
このように、本発明の吸収性物品の吸収性コアは、特定の態様で凹部を有し、臀部の形状に合わせて過不足なく変形することができるため、ヨレや歪の発生を防止することができる。従って、本発明の吸収性物品は、臀部の外形形状に適合するように変形して着用者の肌に密着し得るため、臀部に対するフィット性に優れている。
【００５７】
本発明の範囲はかかる実施形態に制限されない。また本発明は更に以下の吸収性物品を開示する。
＜１＞
表面シート、裏面シート及びこれらの間に配された吸収性コアを有し、着用者の前後方向に相当する縦方向とこれに直交する横方向とを有する吸収性物品であって、
前記吸収性コアは、前記縦方向における前記吸収性物品の中央位置より後方に位置するコア後方部に、前記縦方向に間欠的に配置された、前記横方向に延びる凹部を複数有しており、
前記凹部は、前記吸収性物品の前記縦方向の後端側の縁部が前記後端側に向かって凸状の形状であり、
前記吸収性コアは、隣り合う２つの前記凹部間に前記縦方向の間隔が狭い部分と該間隔が広い部分とを有しており、
前記間隔が狭い部分が、隣り合う２つの前記凹部それぞれの前記横方向における中央部に位置している吸収性物品。
【００５８】
＜２＞
前記間隔が狭い部分は、隣り合う２つの前記凹部それぞれを、前記横方向Ｙに３等分して３つの区分に区分したときの中央の区分に位置している、前記＜１＞に記載の吸収性物品。
＜３＞
前記間隔が狭い部分は、前記吸収性コアを前記横方向に３等分して３領域に区分したときの中央の領域に位置している、前記＜１＞又は＜２＞に記載の吸収性物品。
＜４＞
前記間隔が狭い部分は、前記吸収性コアを前記横方向に二等分する横中心線上に位置している、前記＜１＞〜＜３＞の何れか１に記載の吸収性物品。
＜５＞
前記吸収性物品の中央位置に最も近い前記凹部の前端と、前記吸収性物品を縦方向に二等分する縦中心線との前記縦方向における距離Ｐ１が、好ましくは４０ｍｍ以上、より好ましくは５０ｍｍ以上であり、また好ましくは１１０ｍｍ以下、より好ましくは１００ｍｍ以下であり、また好ましくは４０ｍｍ以上１１０ｍｍ以下、より好ましくは５０ｍｍ以上１００ｍｍ以下である、前記＜１＞〜＜４＞の何れか１に記載の吸収性物品。
＜６＞
前記吸収性物品の中央位置に２番目に近い前記凹部の後端と、前記縦中心線との縦方向における距離Ｐ２が、好ましくは６０ｍｍ以上、より好ましくは７０ｍｍ以上であり、また好ましくは１２０ｍｍ以下、より好ましくは１１０ｍｍ以下であり、また好ましくは６０ｍｍ以上１２０ｍｍ以下、より好ましくは７０ｍｍ以上１１０ｍｍ以下である、前記＜１＞〜＜５＞の何れか１に記載の吸収性物品。
＜７＞
前記吸収性物品の中央位置に最も近い前記凹部の前端と、該凹部と隣り合う前記凹部の後端との前記縦方向における距離Ｐ３が、好ましくは６ｍｍ以上、より好ましくは１０ｍｍ以上であり、また好ましくは１００ｍｍ以下、より好ましくは８０ｍｍ以下であり、また好ましくは６ｍｍ以上１００ｍｍ以下、より好ましくは１０ｍｍ以上８０ｍｍ以下である、前記＜１＞〜＜６＞の何れか１に記載の吸収性物品。
＜８＞
前記吸収性物品の中央位置に最も近い前記凹部の前端と、前記中央位置に最も遠い前記凹部の後端との前記縦方向における距離Ｐ４が、好ましくは２０ｍｍ以上、より好ましくは３０ｍｍ以上であり、また好ましくは１２０ｍｍ以下、より好ましくは１１０ｍｍ以下であり、また好ましくは２０ｍｍ以上１２０ｍｍ以下、より好ましくは３０ｍｍ以上１１０ｍｍ以下である、前記＜１＞〜＜７＞の何れか１に記載の吸収性物品。
＜９＞
前記凹部は、その前記横方向における両端部それぞれが、該端部に最も近接する前記コア後方部の前記横方向における側部それぞれから好ましくは５ｍｍ以上、より好ましくは１０ｍｍ以上離間した位置に配され、また好ましくは５５ｍｍ以下、より好ましくは５０ｍｍ以下離間した位置に配され、また好ましくは５ｍｍ以上５５ｍｍ以下、より好ましくは１０ｍｍ以上５０ｍｍ以下離間した位置に配される、前記＜１＞〜＜８＞の何れか１に記載の吸収性物品。
【００５９】
＜１０＞
前記横方向における前記凹部の幅Ｗ１が、好ましくは２０ｍｍ以上、より好ましくは３０ｍｍ以上であり、また好ましくは１１０ｍｍ以下、より好ましくは１００ｍｍ以下であり、また好ましくは２０ｍｍ以上１１０ｍｍ以下、より好ましくは３０ｍｍ以上１００ｍｍ以下である、前記＜１＞〜＜９＞の何れか１に記載の吸収性物品。
＜１１＞
前記横方向における前記凹部の幅Ｗ１は、前記横方向における前記コア後方部の幅Ｗ２に対し、好ましくは１５％以上、より好ましくは２５％以上であり、または好ましくは９５％以下、より好ましくは８５％以下であり、または好ましくは１５％以上９５％以下、より好ましくは２５％以上８５％以下である、前記＜１＞〜＜１０＞の何れか１に記載の吸収性物品。
＜１２＞
前記縦方向における前記凹部の幅Ｌ１は、好ましくは２ｍｍ以上、より好ましくは４ｍｍ以上であり、また好ましくは５０ｍｍ以下、より好ましくは４０ｍｍ以下であり、また好ましくは２ｍｍ以上５０ｍｍ以下、より好ましくは４ｍｍ以上４０ｍｍ以下である、前記＜１＞〜＜１１＞の何れか１に記載の吸収性物品。
＜１３＞
前記縦方向における前記凹部の幅Ｌ１は、前記縦方向Ｘにおける前記縦中心線から前記吸収性コアの後端までの長さに対し、好ましくは１％以上、より好ましくは２％以上であり、または好ましくは３０％以下、より好ましくは２５％以下であり、または好ましくは１％以上３０％以下、より好ましくは２％以上２５％以下である、前記＜１＞〜＜１２＞の何れか１に記載の吸収性物品。
＜１４＞
前記縦方向における前記凹部の幅Ｌ１は、前記横方向における前記凹部の幅Ｗ１に対して、好ましくは１％以上、より好ましくは３％以上であり、または好ましくは５０％以下、より好ましくは４０％以下であり、または好ましくは１％以上５０％以下、より好ましくは３％以上４０％以下である、前記＜１＞〜＜１３＞の何れか１に記載の吸収性物品。
【００６０】
＜１５＞
隣り合う２つの前記凹部の少なくとも一方は、該凹部の前記横方向における中央部の前記縦方向の長さが最大である、前記＜１＞〜＜１４＞の何れか１に記載の吸収性物品。
＜１６＞
前記凹部は、前記吸収性コアの肌対向面側及び非肌対向面側のいずれか一方に開口した底部を有する溝である、前記＜１＞〜＜１５＞の何れか１に記載の吸収性物品。
＜１７＞
前記凹部は、その厚み方向における深さが、前記吸収性コアの厚みに対し、好ましくは５％以上、より好ましくは１０％以上であり、また好ましくは９０％以下、より好ましくは７０％以下であり、また好ましくは５％以上９０％以下、より好ましくは１０％以上７０％以下である、前記＜１６＞に記載の吸収性物品。
＜１８＞
前記凹部は、前記吸収性コアの厚み方向に貫通した貫通孔である、前記＜１＞〜＜１５＞の何れか１に記載の吸収性物品。
＜１９＞
前記凹部は、前記後方部において前記吸収性コアの形成材料の坪量が、前記凹部以外の部分に比して少ない、前記＜１＞〜＜１７＞の何れか１に記載の吸収性物品。
＜２０＞
前記凹部の坪量は、好ましくは０ｇ／ｍ２以上、より好ましくは６０ｇ／ｍ２以上であり、また好ましくは５４０ｇ／ｍ２以下、より好ましくは４２０ｇ／ｍ２以下であり、また好ましくは０ｇ／ｍ２以上５４０ｇ／ｍ２以下、より好ましくは６０ｇ／ｍ２以上４２０ｇ／ｍ２以下である、前記＜１＞〜＜１９＞の何れか１に記載の吸収性物品。
【００６１】
＜２１＞
前記凹部は、前記吸収性物品の前記縦方向の後端側の縁部が前記後端側に向かって凸の円弧状である、前記＜１＞〜＜２０＞の何れか１に記載の吸収性物品。
＜２２＞
前記凹部は、前記横方向において円弧の両端を結んだ線分の幅Ｗ３に対し、前記円弧の頂部から該線分に垂直に引いた線分の長さＬ４が、好ましくは１．５％以上、より好ましくは３．５％以上であり、また好ましくは６５％以下、より好ましくは５０％以下であり、また好ましくは１．５％以上６５％以下、より好ましくは３．５％以上５０％以下である、前記＜２１＞に記載の吸収性物品。
＜２３＞
前記凹部は、前記吸収性物品の前記縦方向の前端側の縁部が、前記縦方向の後端側に向かって凸に湾曲した形状である、前記＜１＞〜＜２２＞の何れか１に記載の吸収性物品。
＜２４＞
前記凹部の個数が、好ましくは２個以上、より好ましくは３個以上であり、また好ましくは２５個以下、より好ましくは１０個以下であり、また好ましくは２個以上２５個以下、より好ましくは３個以上１０個以下である、前記＜１＞〜＜２３＞の何れか１に記載の吸収性物品。
＜２５＞
前記狭い部分から前記広い部分に亘って前記間隔が連続的に変化している、前記＜１＞〜＜２４＞の何れか１に記載の吸収性物品。
【００６２】
＜２６＞
前記間隔が狭い部分の長さＬ２は、好ましくは２ｍｍ以上、より好ましくは１０ｍｍ以上であり、また好ましくは５０ｍｍ以下、より好ましくは２０ｍｍ以下であり、また好ましくは２ｍｍ以上５０ｍｍ以下、より好ましくは１０ｍｍ以上２０ｍｍ以下である、前記＜１＞〜＜２５＞の何れか１に記載の吸収性物品。
＜２７＞
前記間隔が狭い部分の長さＬ２は、前記縦方向における前記縦中心線から前記吸収性コアの後端までの長さＬＢに対し、好ましくは１％以上、より好ましくは５％以上であり、または好ましくは３０％以下、より好ましくは１５％以下であり、または好ましくは１％以上３０％以下、より好ましくは５％以上１５％以下である、前記＜１＞〜＜２６＞の何れか１に記載の吸収性物品。
＜２８＞
前記間隔が広い部分の長さＬ３は、好ましくは４ｍｍ以上、より好ましくは１０ｍｍ以上であり、また好ましくは５０ｍｍ以下、より好ましくは３０ｍｍ以下であり、また好ましくは４ｍｍ以上５０ｍｍ以下、より好ましくは１０ｍｍ以上３０ｍｍ以下である、前記＜１＞〜＜２７＞の何れか１に記載の吸収性物品。
＜２９＞
前記間隔が広い部分の長さＬ３は、前記縦方向における前記縦中心線から前記吸収性コアの後端までの長さＬＢに対し、好ましくは２％以上、より好ましくは５％以上であり、または好ましくは３０％以下、より好ましくは２０％以下であり、または好ましくは２％以上３０％以下、より好ましくは５％以上２０％以下である、前記＜１＞〜＜２８＞の何れか１に記載の吸収性物品。
＜３０＞
前記間隔が狭い部分の長さＬ２は、前記間隔が広い部分の長さＬ３に対して、好ましくは８０％以下、より好ましくは７０％以下である、前記＜１＞〜＜２９＞の何れか１に記載の吸収性物品。
【００６３】
＜３１＞
前記表面シートと前記裏面シート及び前記吸収性コアを具備する吸収性本体と、該吸収性本体の非肌対向面側に配された外装体とを備え、着用時に着用者の腹側に配される腹側部と着用者の背側に配される背側部とその間に位置する股下部とを有し、前記腹側部及び前記背側部それぞれにおける前記外装体の両側部が接合されていることによって、一対のサイドシール部、ウエスト開口部及び一対のレッグ開口部が形成されている、前記＜１＞〜＜３０＞の何れか１に記載の吸収性物品。
＜３２＞
前記吸収性コアの前記縦方向の前端及び後端それぞれが、前記股下部に配されている、前記＜１＞〜＜３１＞の何れか１に記載の吸収性物品。
＜３３＞
前記外装体は、前記一対のレッグ開口部それぞれの開口縁部にレッグギャザーを形成するレッグ弾性部材を備える、前記＜１＞〜＜３２＞の何れか１に記載の吸収性物品。
＜３４＞
前記吸収性コアは、平面視において、前記横方向の長さが最も短い最幅狭部の前記縦方向の前端に、前記最幅狭部よりも前記横方向の長さが長いコア前方部が連接されていると共に、前記最幅狭部の前記縦方向の後端に前記最幅狭部よりも前記横方向の長さが長い前記コア後方部が連接されている形状をなしている、前記＜１＞〜＜３３＞の何れか１に記載の吸収性物品。
＜３５＞
前記コア後方部は、前記最幅狭部の前記縦方向の後端に連接され、前記縦方向の前側から後側へ向かうに従って前記横方向の長さが漸次増加する後方第１領域と、該後方第１領域の前記縦方向の後端に連接され、前記横方向の幅が略一定となっている後方第２領域とを有している、前記＜１＞〜＜３４＞の何れか１に記載の吸収性物品。
＜３６＞
複数の前記凹部は、前記後方第１領域及び前記後方第２領域に配置されている、前記＜１＞〜＜３５＞の何れか１に記載の吸収性物品。
【符号の説明】
【００６４】
１  パンツ型使い捨ておむつ（吸収性物品）
２  吸収性本体
２１  表面シート
２２  裏面シート
２３  吸収体
２４  吸収性コア
２４０  最幅狭部
２４１  コア前方部
２４２  コア後方部
２４３  後方第１領域
２４４  後方第２領域
２４５  隆起部
２５  コアラップシート
３  外装体
３１  外層シート
３２  内層シート
４  凹部
４１  前端側の縁部
４２  後端側の縁部
４３  凸の頂部
４６  間隔
４７  間隔が狭い部分
４９  間隔が広い部分
Ａ  腹側部
Ｂ  股下部
Ｃ  背側部
ＣＬｘ  縦中心線
ＣＬｙ  横中心線
Ｓ  サイドシール部
Ｘ  縦方向
Ｙ  横方向
【図１】
2018082851.tif 000003
【図２】
2018082851.tif 000004
【図３】
2018082851.tif 000005
【図４】
2018082851.tif 000006
【図５】
2018082851.tif 000007
【図６】
2018082851.tif 000008
【図７】
2018082851.tif 000009
【図８】
2018082851.tif 000010
【図９】
2018082851.tif 000011